(57)【要約】【課題】カラオケ演奏に際して複数種類の映像を適宜表示し得るカラオケ装置を提供する。【解決手段】画面３０ｓに対する第１の角度範囲Ａから視認可能な第１の映像を表示させると共に、第２の角度範囲Ｂから視認可能な第２の映像を表示させる映像表示装置３０と、演奏曲の出力に際して第１演奏映像８４を制御する第１表示制御手段８０と、第２演奏映像９０を制御する第２表示制御手段８２と、それら第１演奏映像８４、第２演奏映像９０を、方向検知装置により検知される無線信号の方向に基づいて映像表示装置３０における第１の映像及び／又は第２の映像として選択的に表示させる映像表示制御装置３５とを、有することから、演奏曲の出力に際して複数種類の演奏映像８４、９０を異なる視野角で表示させつつ、所定の機器に係る無線信号の方向に応じてその演奏映像８４、９０の表示を切り換えたり、一方又は両方の出力を停止させたりといった制御が可能とされる。【選択図】図５
2007206301.tif 000002
【特許請求の範囲】
【請求項１】
多数の演奏曲のうちから選択される所定の演奏曲を出力させると共に、該演奏曲の出力と同期して所定の映像を表示させるカラオケ装置であって、
画面に対する第１の角度範囲から視た場合に視認可能な第１の映像を表示させると共に、前記画面に対する第２の角度範囲から視た場合に視認可能な第２の映像を表示させる映像表示装置と、
所定の機器からの無線信号に基づいて該機器が位置する方向を検知する方向検知装置と
を、備え、
前記演奏曲の出力に際して該演奏曲に関する演奏映像を制御する第１表示制御手段と、
該第１表示制御手段による制御と同期して、該第１表示制御手段により制御される演奏映像とは異なる映像を制御する第２表示制御手段と、
前記第１表示制御手段及び第２表示制御手段によりそれぞれ制御される映像を、前記方向検知装置により検知される無線信号の方向に基づいて、前記映像表示装置における前記第１の映像及び／又は第２の映像として選択的に表示させる映像表示制御手段と
を、有することを特徴とするカラオケ装置。
【請求項２】
無線信号を介して音声情報を入力するための音声入力装置を備え、
前記方向検知装置は、該音声入力装置に係る無線信号の方向を検知するものである請求項１のカラオケ装置。
【請求項３】
無線信号を介して情報の読み出しが可能な無線タグを備え、
前記方向検知装置は、該無線タグに係る無線信号の方向を検知するものである請求項１のカラオケ装置。
【請求項４】
前記第１表示制御手段及び第２表示制御手段は、複数種類の背景映像と関連付けられた演奏曲の出力に際してそれぞれ異なる種類の背景映像を該演奏曲の歌詞文字映像の背面側レイヤに合成する制御を行うものである請求項１から３の何れかのカラオケ装置。
【発明の詳細な説明】
【技術分野】
【０００１】
本発明は、カラオケボックス等で使用されるカラオケ装置に関し、特に、カラオケ演奏に際しての映像表示機能の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して映像表示装置の画面に表示させることで、所望の歌のカラオケ演奏を楽しむことができる。
【０００３】
前記カラオケ装置による演奏曲の出力に際しては、通常、その演奏曲と予め対応付けられた背景映像情報が読み出され、その背景映像情報に基づいて再生される背景映像の前面側レイヤにその演奏曲の歌詞文字映像が合成されて演奏映像として表示される。斯かるカラオケ装置による映像表示に関して、前記映像表示装置の画面を複数の領域に分割し、各領域に異なる映像を表示させる技術が提案されている。例えば、特許文献１に記載されたカラオケ付きテレビ受像機がそれである。この技術によれば、画面を左右２領域に分割して各領域に異なる映像を表示可能な映像表示装置と、演奏者の映像を撮影し得る撮像装置と、を備え、その撮像装置により撮影された映像を前記左右２領域の何れか一方に表示させると共に、他方の領域に演奏曲の歌詞文字映像を表示させることで、カラオケ演奏に際して演奏者の映像を前記映像表示装置の画面の一部に表示できる。
【０００４】
【特許文献１】特開２００２−９１４６０号公報
【発明の開示】
【発明が解決しようとする課題】
【０００５】
ところで、前記カラオケ装置により出力される演奏曲には、予め複数の背景映像情報が対応付けられているものがある。例えば、テレビアニメの主題歌として使われている演奏曲では、そのテレビアニメのオープニング映像と、それとは異なる一般的な背景映像とが用意されており、それらが何れも上記演奏曲の背景映像として用いられ得るものとしてその演奏曲に対応付けられている。また、予め対応付けられている背景映像に代えて、成人向けの背景映像を出力させる機能を備えたカラオケ装置等もあり、何れも所定の演奏曲の出力に際して複数種類の演奏映像を選択的に出力させられるようになっている。そのように、所定の演奏曲の出力に際して複数種類の演奏映像を出力可能なカラオケ装置において、それら複数種類の演奏映像を同時に出力させることを考えた場合、前記従来の技術のように前記映像表示装置の画面を複数の領域に分割するものでは、各領域それぞれに表示される映像が必然的に小さくなってしまい、その映像に含まれる歌詞文字映像が読み難くなるという弊害があった。また、成人向けの映像を見せるべきでない子供等と共にカラオケ演奏を行っている場合には、その子供等に不適切な映像を見せてしまう可能性があった。すなわち、カラオケ演奏に際して複数種類の映像を適宜表示し得るカラオケ装置は、未だ開発されていないのが現状である。
【０００６】
本発明は、以上の事情を背景として為されたものであり、その目的とするところは、カラオケ演奏に際して複数種類の映像を適宜表示し得るカラオケ装置を提供することにある。
【課題を解決するための手段】
【０００７】
斯かる目的を達成するために、本発明の要旨とするところは、多数の演奏曲のうちから選択される所定の演奏曲を出力させると共に、その演奏曲の出力と同期して所定の映像を表示させるカラオケ装置であって、画面に対する第１の角度範囲から視た場合に視認可能な第１の映像を表示させると共に、前記画面に対する第２の角度範囲から視た場合に視認可能な第２の映像を表示させる映像表示装置と、所定の機器からの無線信号に基づいてその機器が位置する方向を検知する方向検知装置とを、備え、前記演奏曲の出力に際してその演奏曲に関する演奏映像を制御する第１表示制御手段と、その第１表示制御手段による制御と同期して、その第１表示制御手段により制御される演奏映像とは異なる映像を制御する第２表示制御手段と、前記第１表示制御手段及び第２表示制御手段によりそれぞれ制御される映像を、前記方向検知装置により検知される無線信号の方向に基づいて、前記映像表示装置における前記第１の映像及び／又は第２の映像として選択的に表示させる映像表示制御手段とを、有することを特徴とするものである。
【発明の効果】
【０００８】
このようにすれば、画面に対する第１の角度範囲から視た場合に視認可能な第１の映像を表示させると共に、前記画面に対する第２の角度範囲から視た場合に視認可能な第２の映像を表示させる映像表示装置と、所定の機器からの無線信号に基づいてその機器が位置する方向を検知する方向検知装置とを、備え、前記演奏曲の出力に際してその演奏曲に関する演奏映像を制御する第１表示制御手段と、その第１表示制御手段による制御と同期して、その第１表示制御手段により制御される演奏映像とは異なる映像を制御する第２表示制御手段と、前記第１表示制御手段及び第２表示制御手段によりそれぞれ制御される映像を、前記方向検知装置により検知される無線信号の方向に基づいて、前記映像表示装置における前記第１の映像及び／又は第２の映像として選択的に表示させる映像表示制御手段とを、有することから、所定の演奏曲の出力に際して複数種類の演奏映像を前記第１の映像、第２の映像として表示させつつ、所定の機器に係る無線信号の方向に応じてその演奏映像の表示を切り換えたり、一方又は両方の演奏映像の出力を停止させたりといった制御が可能とされる。すなわち、カラオケ演奏に際して複数種類の映像を適宜表示し得るカラオケ装置を提供することができる。
【０００９】
ここで、好適には、無線信号を介して音声情報を入力するための音声入力装置を備え、前記方向検知装置は、その音声入力装置に係る無線信号の方向を検知するものである。このようにすれば、音声入力装置に係る無線信号の方向に応じてその演奏映像の表示を切り換えたり、一方又は両方の演奏映像の出力を停止させたりといった制御が可能とされるという利点がある。
【００１０】
また、好適には、無線信号を介して情報の読み出しが可能な無線タグを備え、前記方向検知装置は、その無線タグに係る無線信号の方向を検知するものである。このようにすれば、無線タグに係る無線信号の方向に応じてその演奏映像の表示を切り換えたり、一方又は両方の演奏映像の出力を停止させたりといった制御が可能とされ、例えばその無線タグを子供に持たせておくことに等より、その子供に不適切な映像を見せることを好適に防止できる等といった利点がある。
【００１１】
また、好適には、前記第１表示制御手段及び第２表示制御手段は、複数種類の背景映像と関連付けられた演奏曲の出力に際してそれぞれ異なる種類の背景映像をその演奏曲の歌詞文字映像の背面側レイヤに合成する制御を行うものである。このようにすれば、所定の演奏曲の出力に際してその演奏曲に対応付けられた複数種類の背景映像をそれぞれ含む演奏映像を同時に出力させられるという利点がある。
【００１２】
以下、本発明の好適な実施例を図面に基づいて詳細に説明する。
【実施例】
【００１３】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のサーバ（センタ装置）２０に接続されており、そのサーバ２０と上記カラオケ装置１６ａの相互間で情報の通信が可能とされている。このサーバ２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定のコンテンツや機能制御プログラム等を送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。また、上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１４】
図２は、本発明の一実施例であるカラオケ装置１６の構成を例示するブロック線図である。この図２に示すように、上記カラオケ装置１６は、後述する視野角（可視範囲）制御型の映像表示装置３０、第１映像情報デコーダ３２ａ、第２映像情報デコーダ３２ｂ（以下、特に区別しない場合には単に映像情報デコーダ３２と称する）、第１ビデオミキサ３４ａ、第２ビデオミキサ３４ｂ（以下、特に区別しない場合には単にビデオミキサ３４と称する）、それらビデオミキサ３４から出力される映像情報を上記映像表示装置３０に選択的に入力する映像表示制御装置３５、アンプミキサ３６、スピーカ３８、ワイヤレス式の音声入力装置であるマイクロフォン４０、操作パネル４２、中央演算処理装置であるＣＰＵ４４、読出専用メモリであるＲＯＭ４６、随時書込読出メモリであるＲＡＭ４８、記憶装置であるハードディスク５０、モデム５２、ＬＡＮポート５４、第１映像出力部５６ａ、第２映像出力部５６ｂ（以下、特に区別しない場合には単に映像出力部５６と称する）、上記操作パネル４２等の入出力信号を処理する入出力インターフェイス５８、音源であるシンセサイザ６０、リモコン装置２８等の入力装置からの赤外線信号（リモコン信号）を受信するための受信ユニット６２、及びよく知られたＲＦＩＤ（Radio Frequency Identification）技術により非接触にて情報の読み出しが可能な無線タグであるＲＦＩＤタグ６６の存在する方向を検知するための通信を行うＲＦＩＤリーダ６４を、備えて構成されている。
【００１５】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記電子早見本装置２２やリモコン装置２８等により所定のカラオケ演奏曲が選曲された場合、その選曲されたカラオケ演奏曲を上記ＲＡＭ４８に設けられた予約曲テーブルに登録したり、その予約曲テーブルの演奏順に従って上記ハードディスク５０のカラオケデータベース６８から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記映像出力部５６へ送ったり、選曲時には曲名文字映像を生成して上記映像出力部５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ２０との間の情報通信やＬＡＮ２４を介した前記電子早見本装置２２との間の情報通信制御等の基本的な制御を実行すると共に、後述する演奏映像表示制御及び映像出力切換制御等を行う。
【００１６】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置（遠隔入力端末装置）として機能するリモコン装置２８が備えられており、前記受信ユニット６２は、そのリモコン装置２８から送信されるリモコン信号を受信して前記ＣＰＵ４４へ供給する。また、前記カラオケ装置１６と電子早見本装置２２との対応付け（くくりつけ）処理も前記受信ユニット６２を介して行われ、そのようにして前記カラオケ装置１６に対応付けられた電子早見本装置２２も同様に入力装置として機能する。
【００１７】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記サーバ２０との間で情報の通信を行わない他のカラオケ装置１６には必ずしも設けられなくともよい。すなわち、マスターコマンダではないカラオケ装置１６ｂ、１６ｃ、１６ｄ、・・・は、マスターコマンダである前記カラオケ装置１６ａを介して前記サーバ２０等との間で情報の送受信を行う。
【００１８】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。
【００１９】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。また、前記マイクロフォン４０は、カラオケ演奏に際して利用者の手に把持される等して用いられるワイヤレス式の音声入力装置であり、入力された音声情報を赤外線信号として送信するための赤外線発信部を備えている。前記アンプミキサ３６では、このマイクロフォン４０から前記受信ユニット６２を介して入力される利用者の音声（歌声）と、前記シンセサイザ６０から送られてくる音楽信号とがミキシングされ、それらの信号が電気的に増幅されて前記スピーカ３８から出力される。
【００２０】
前記ハードディスク５０には、カラオケ演奏曲を出力させるための多数のカラオケ情報を記憶するカラオケデータベース６８及び背景映像データベース７０をはじめとする各種データベースが設けられている。カラオケボックス等の店舗１２にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、或いは新たな背景映像が再生可能とされるように、随時新たなカラオケ情報や背景映像情報等が前記サーバ２０から前記通信回線１８を介して配信され、前記ハードディスク５０のカラオケデータベース６８や背景映像データベース７０等に記憶される。また、そのようにして前記サーバ２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、上記カラオケデータベース６８や背景映像データベース７０等の内容が等価なものとされる。
【００２１】
上記背景映像データベース７０に記憶される背景映像情報は、例えばＭＰＥＧ（Moving Picture Experts Group）形式のデータであり、前記映像表示装置３０に表示される演奏画面における背景映像の再生に用いられるものである。また、上記カラオケデータベース６８に記憶されるカラオケ情報は、曲名、歌手名、ジャンル情報、及び背景映像指定情報等を含むヘッダ情報、演奏情報としてのＭＩＤＩデータ、及び演奏曲の歌詞情報等を含む情報であり、各演奏曲毎にインデックスとしての選曲番号が定められている。この歌詞情報とは、演奏曲の歌詞に対応するテキスト情報、歌詞の出力タイミング情報、及び色替タイミング情報等を含むものである。また、上記ヘッダ情報に含まれる背景映像指定情報は、上記背景映像データベース７０に記憶された複数の背景映像情報のうち、その演奏曲の演奏に際して出力（再生）される背景映像情報として少なくとも１つの背景映像情報が定められた（関連付けられた）ものであるが、演奏曲によっては２つ以上の背景映像情報が定められているものもある。そのように複数の背景映像情報と関連付けられたカラオケ情報に対応する演奏曲の出力に際しては、演奏モード等の設定や、前記リモコン装置２８等による入力操作等に応じて、それら複数の背景映像情報が選択的にその演奏曲の演奏画面における背景映像の再生に用いられる。
【００２２】
前記映像表示装置３０は、画面に対する方向（視野角）によってそれぞれ異なる複数種類の映像を表示させる視野角制御型の表示装置であり、好適には、一般的なＴＦＴ（Thin Film Transistor）液晶ディスプレイ上に所定の視差バリア構造を設けることにより２方向に放射光を分離し、それぞれの方向に異なる情報やコンテンツの表示を可能とする液晶ディスプレイである。図３は、この映像表示装置３０による視野角制御について説明する図である。この図３に示すように、前記映像表示装置３０は、画面３０ｓに対する第１の角度範囲Ａから視た場合に視認可能な第１の映像を表示させると共に、上記画面３０ｓに対する第２の角度範囲Ｂから視た場合に視認可能な第２の映像を表示させる。換言すれば、上記画面３０ｓに対する第１の角度範囲Ａから視た場合には上記第１の映像は視認可能であるが上記第２の映像は視認不可能であり、上記画面３０ｓに対する第２の角度範囲Ｂから視た場合には上記第２の映像は視認可能であるが上記第１の映像は視認不可能である。ここで、上記画面３０ｓに垂直な方向に対する上記第１の角度範囲Ａの中心方向の成す角、その画面３０ｓに垂直な方向に対する上記第２の角度範囲Ｂの中心方向の成す角は、好適には何れも４０°程度で固定されているが、前記個室１４の形態等に応じてその中心角度の開きを変更し得るようにしてもよい。また、上記第１の映像及び第２の映像を等価なものとすることで、上記視野角制御を行わない通常の映像表示装置と同様の表示形態とすることも可能である。以上のような視野角表示制御によって、上記画面３０ｓに対する第１の角度範囲Ａに位置する利用者（演奏者）７２ａと、第２の角度範囲Ｂに位置する利用者（演奏者）７２ｂとで、異なる映像に基づくカラオケ演奏が可能とされる。なお、図３では前記映像表示装置３０の画面３０ｓが紙面手前から奥に向かう方向に垂直を成すように描かれているが、これは説明の便宜のためであり、実際の映像表示装置３０は、以下に詳述する図４に示すように、前記画面３０ｓが利用者７２ａ、７２ｂの方に向けられた状態で設置されている。
【００２３】
図２に戻って、前記受信ユニット６２は、前述のように前記リモコン装置２８やワイヤレス式のマイクロフォン４０等の機器から送信される赤外線信号（無線信号）を受信する受信装置であるが、好適には、その赤外線信号の受信方向を判定できる構成を備えている。すなわち、前記リモコン装置２８やワイヤレス式のマイクロフォン４０等の機器からの赤外線信号に基づいてそれらの機器が位置する方向を検知する方向検知装置として機能する。この方向検知としては様々な態様が考えられるが、少なくとも対象となる機器が前記映像表示装置３０の画面３０ｓに対する第１の角度範囲Ａ及び第２の角度範囲Ｂのうち何れの範囲内に位置するかを検知するものである。
【００２４】
前記ＲＦＩＤリーダ６４は、よく知られたＲＦＩＤ（Radio Frequency Identification）システムにおける質問器として機能するものであり、例えば前記個室１４の天井等に位置固定に設けられると共に前記カラオケ装置１６に接続されている。また、そのカラオケ装置１６に内蔵されたものであってもよい。このＲＦＩＤリーダ６４は、所定の波長帯の電波信号（無線信号）を介して応答器である前記ＲＦＩＤタグ６６の方向検知を行う。すなわち、前記ＲＦＩＤリーダ６４から質問波（送信信号）が前記ＲＦＩＤタグ６６に向けて送信されると、その質問波を受信したそのＲＦＩＤタグ６６において所定の情報信号（データ）によりその質問波が変調され、応答波（返信信号）として前記ＲＦＩＤリーダ６４に向けて返信されることで、そのＲＦＩＤリーダ６４とＲＦＩＤタグ６６との間で情報の通信が行われる。斯かる情報の通信により、そのＲＦＩＤリーダ６４に対するＲＦＩＤタグ６６の位置（方向）が検知される。すなわち、前記ＲＦＩＤリーダ６４は、前記ＲＦＩＤタグ６６からの応答波（無線信号）に基づいて前記カラオケ装置１６に対するそのＲＦＩＤタグ６６の方向を検知する方向検知装置として機能する。前記ＲＦＩＤリーダ６４が前記カラオケ装置１６とは別体として前記個室１４の天井等に設置されている場合であっても、前記カラオケ装置１６もまた通常はその個室１４に対し位置固定に設けられているため、前記ＲＦＩＤリーダ６４に対する前記カラオケ装置１６の相対位置を予め記憶させておけば、そのＲＦＩＤリーダ６４に対する前記ＲＦＩＤタグ６６の方向を検知することで、前記カラオケ装置１６に対するそのＲＦＩＤタグ６６の方向を検知できるのである。この方向検知としては様々な態様が考えられるが、少なくとも対象となるＲＦＩＤタグ６６が前記映像表示装置３０の画面３０ｓに対する第１の角度範囲Ａ及び第２の角度範囲Ｂのうち何れの範囲内に位置するかを検知するものである。
【００２５】
前記映像情報デコーダ３２は、利用者が歌詞を参照しながら歌を歌う際に前記ハードディスク５０の背景映像データベース７０に記憶された背景映像情報に基づいて所定の背景映像を再生（デコード）する背景映像再生装置である。前記演奏曲の演奏に際しては、その演奏曲の背景映像指定情報により指定された背景映像情報が前記背景映像データベース７０から読み出され、その背景映像情報に基づく映像が前記映像情報デコーダ３２により再生されて前記ビデオミキサ３４へ送られる。また、前記映像出力部５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記映像出力部５６から出力される文字映像等と、前記映像情報デコーダ３２により再生される背景映像とを合成して前記映像表示装置３０に表示させる映像合成装置である。
【００２６】
図５は、前記カラオケ装置１６のＣＰＵ４４に備えられた制御機能の要部を説明する機能ブロック線図である。この図５に示す第１表示制御手段８０は、前記カラオケ装置１６による演奏曲の出力に際してその演奏曲に関する第１演奏映像を制御する。前記第１映像情報デコーダ３２ａ、第１ビデオミキサ３４ａ、及び第１映像出力部５６ａは、この第１表示制御手段８０に対応して設けられたものであり、斯かる第１表示制御手段８０は、これら第１映像情報デコーダ３２ａ、第１ビデオミキサ３４ａ、及び第１映像出力部５６ａを介して図６に示すような第１演奏映像８４の制御を行う。具体的には、対象となる演奏曲の歌詞情報のテキスト情報及び出力タイミング情報に基づいてその第１演奏映像８４に対応する歌詞文字映像８６を生成し、その歌詞文字映像８６を前記第１映像出力部５６ａにより出力させる。また、その歌詞情報の色替タイミング情報に基づいて前記第１映像出力部５６ａにより上記歌詞文字映像８６を順次色替する制御を行う。また、斯かる歌詞文字映像８６の制御と同期して、対象となる演奏曲の背景映像指定情報により指定される背景映像情報を前記背景映像データベース７０から読み出し、その背景映像情報に基づく背景映像８８を前記第１映像情報デコーダ３２ａにより出力（再生）させる。そして、前記第１ビデオミキサ３４ａにおいて、前記第１映像情報デコーダ３２ａから出力される背景映像８８の前面側レイヤに前記第１映像出力部５６ａから出力される歌詞文字映像８６を合成することで、図６に示すような第１演奏映像８４を、後述する映像表示制御装置３５を介して前記映像表示装置３０に表示させる。
【００２７】
第２表示制御手段８２は、上記第１表示制御手段８０による制御と同期して、その第１表示制御手段８０により制御される第１演奏映像とは異なる、前記演奏曲に関する第２演奏映像を制御する。前記第２映像情報デコーダ３２ｂ、第２ビデオミキサ３４ｂ、及び第２映像出力部５６ｂは、この第２表示制御手段８２に対応して設けられたものであり、斯かる第２表示制御手段８２は、これら第２映像情報デコーダ３２ｂ、第２ビデオミキサ３４ｂ、及び第２映像出力部５６ｂを介して図７に示すような第２演奏映像９０の制御を行う。具体的には、対象となる演奏曲の歌詞情報のテキスト情報及び出力タイミング情報に基づいてその第１演奏映像９０に対応する歌詞文字映像９２を生成し、その歌詞文字映像９２を前記第２映像出力部５６ｂにより出力させる。また、その歌詞情報の色替タイミング情報に基づいて前記第２映像出力部５６ｂにより上記歌詞文字映像９２を順次色替する制御を行う。また、斯かる歌詞文字映像９２の制御と同期して、対象となる演奏曲の背景映像指定情報により指定される背景映像情報（第１表示制御手段８０により読み出されるものとは別の背景映像情報）を前記背景映像データベース７０から読み出し、その背景映像情報に基づく背景映像９４を前記第２映像情報デコーダ３２ｂにより出力（再生）させる。そして、前記第２ビデオミキサ３４ｂにおいて、前記第２映像情報デコーダ３２ｂから出力される背景映像９４の前面側レイヤに前記第２映像出力部５６ｂから出力される歌詞文字映像９２を合成することで、図７に示すような第２演奏映像９０を、後述する映像表示制御装置３５を介して前記映像表示装置３０に表示させる。なお、図６及び図７に示すように、本実施例においては、上記第１表示制御手段８０及び第２表示制御手段８２が、所定の演奏曲の出力に際して歌詞文字映像を共通とし、背景映像がそれぞれ異なる演奏映像を制御する態様について説明しているが、歌詞文字映像及び背景映像共にそれぞれ異なる演奏映像を制御するものであってもよい。また、前記映像情報デコーダ３２、ビデオミキサ３４、及び映像出力部５６は、必ずしもそのすべてが上記第１表示制御手段８０及び第２表示制御手段８２に対応してそれぞれ個別に設けられるものでなくともよく、とりわけ前記映像出力部５６に関しては上記第１表示制御手段８０及び第２表示制御手段８２で共通の装置が用いられるものであってもよい。
【００２８】
前記映像表示制御装置３５は、前記第１表示制御手段８０及び第２表示制御手段８２によりそれぞれ制御される演奏映像を、方向検知装置である前記受信ユニット６２やＲＦＩＤリーダ６４により検知される無線信号の方向に基づいて、前記映像表示装置３０における前記第１の映像（第１の角度範囲Ａに対応）及び／又は第２の映像（第２の角度範囲Ｂに対応）として選択的に表示させる映像表示制御手段として機能する。具体的には、（ａ）第１表示制御手段８０により制御される第１演奏映像８４を第１の映像、第２表示制御手段８２により制御される第２演奏映像９０を第２の映像として表示させる態様、（ｂ）第２表示制御手段８２により制御される第２演奏映像９０を第１の映像、第１表示制御手段８０により制御される第１演奏映像８４を第２の映像として表示させる態様、（ｃ）第１表示制御手段８０により制御される第１演奏映像８４を第１の映像及び第２の映像として表示させる態様、（ｄ）第２表示制御手段８２により制御される第２演奏映像９０を第１の映像及び第２の映像として表示させる態様、（ｅ）第１表示制御手段８０により制御される第１演奏映像８４を第１の映像として表示させ、第２の映像としては何も表示させない態様、（ｆ）第２表示制御手段８２により制御される第２演奏映像９０を第１の映像として表示させ、第２の映像としては何も表示させない態様、（ｇ）第１の映像としては何も表示させず、第１表示制御手段８０により制御される第１演奏映像８４を第２の映像として表示させる態様、（ｈ）第１の映像としては何も表示させず、第２表示制御手段８２により制御される第２演奏映像９０を第２の映像として表示させる態様、（ｉ）第１の映像、第２の映像共に何も表示させない態様の何れかの態様で、前記第１表示制御手段８０及び第２表示制御手段８２によりそれぞれ制御される演奏映像が前記映像表示装置３０により表示される。
【００２９】
図４は、前記映像表示制御装置３５による前記映像表示装置３０の表示制御（映像出力切換制御）について説明する図である。前記映像表示制御装置３５は、例えば、前記受信ユニット６２により検知される前記マイクロフォン４０の位置する方向に応じて前記第１表示制御手段８０により制御される第１演奏映像８４の出力切換制御を行う。具体的には、図４に示すように、前記受信ユニット６２により検知される前記マイクロフォン４０の位置（方向）が前記映像表示装置３０の画面３０ｓに対する第１の角度範囲Ａに入る場合には、前記第１表示制御手段８０により制御される第１演奏映像８４をその第１の角度範囲Ａに対応する前記第１の映像として表示させる。また、前記受信ユニット６２により検知される前記マイクロフォン４０の位置が前記映像表示装置３０の画面３０ｓに対する第２の角度範囲Ｂに入る場合には、前記第１表示制御手段８０により制御される第１演奏映像８４をその第２の角度範囲Ｂに対応する前記第２の映像として表示させる。このように、前記マイクロフォン４０の位置する角度範囲から前記映像表示装置３０の画面３０ｓを視る利用者７２ａにより前記第１表示制御手段８０により制御される第１演奏映像８４を視認可能に表示させることで、音声入力装置である前記マイクロフォン４０に追従して前記演奏映像８４を表示させることができ、そのマイクロフォン４０を持つ利用者７２はその演奏映像８４を視ながらカラオケ演奏を楽しむことができる。
【００３０】
また、前記映像表示制御装置３５は、例えば、前記ＲＦＩＤリーダ６４により検知される前記ＲＦＩＤタグ６６の位置する方向に応じて前記第２表示制御手段８２により制御される第２演奏映像９０の出力切換制御（出力禁止制御）を行う。具体的には、図４に示すように、前記ＲＦＩＤリーダ６４により検知される前記ＲＦＩＤタグ６６の位置（方向）が前記映像表示装置３０の画面３０ｓに対する第２の角度範囲Ｂに入る場合には、前記第２表示制御手段８２により制御される第２演奏映像９０を前記第１の角度範囲Ａに対応する前記第１の映像として表示させ、前記第２の角度範囲Ｂに対応する前記第２の映像としては何も表示させない（或いは前記第１演奏映像８４を表示させる）。また、前記ＲＦＩＤリーダ６４により検知される前記ＲＦＩＤタグ６６の位置（方向）が前記映像表示装置３０の画面３０ｓに対する第１の角度範囲Ａに入る場合には、その第１の角度範囲Ａに対応する前記第１の映像としては何も表示させず（或いは前記第１演奏映像８４を表示させ）、前記第２表示制御手段８２により制御される第２演奏映像９０を前記第２の角度範囲Ｂに対応する前記第２の映像として表示させる。この態様は、例えば、前記第２表示制御手段８２により制御される第２演奏映像９０が成人向けの背景映像９４を含むものである場合等において好適であり、その第２演奏映像９０を視るべきでない子供に前記ＲＦＩＤタグ６６を持たせ、斯かるＲＦＩＤタグ６６がその子供に追従して移動するようにする。上述のように、前記ＲＦＩＤタグ６６が存在する角度範囲からは前記第２演奏映像９０は視認不可能とされるため、このようにすることで、前記ＲＦＩＤタグ６６を持つ子供等にその第２演奏映像９０を不可視とすることができる。また、好適には、上述したマイクロフォン４０の位置に応じた出力切換制御と組み合わせて斯かるＲＦＩＤタグ６６の位置に応じた出力切換制御を行うことで、成人向けの第２演奏映像９０を視ながらカラオケ演奏を楽しんでいる際に子供が近付いてきた場合には、その第２演奏映像９０を第１演奏映像８４と切り換えるといった制御が可能とされる。
【００３１】
図８は、前記カラオケ装置１６のＣＰＵ４４による演奏映像表示制御の要部を説明するフローチャートであり、所定の周期で繰り返し実行されるものである。なお、この制御は好ましくは前述した第１表示制御手段８０及び第２表示制御手段８２に対応してそれぞれ独立に行われるが、何れも同様の処理を行うものであるため、斯かる共通の処理を図８を用いて説明する。
【００３２】
先ず、ステップ（以下、ステップを省略する）ＳＡ１において、所定の演奏曲のカラオケ演奏が開始されるか否かが判断される。このＳＡ１の判断が否定される場合には、それをもって本ルーチンが終了させられるが、ＳＡ１の判断が肯定される場合には、ＳＡ２において、前記カラオケデータベース６８から演奏対象である演奏曲のカラオケ情報が読み出されて前記ＲＡＭ４８に記憶されると共に、そのカラオケ情報に含まれる背景映像指定情報に基づいて、その演奏曲と関連付けられた複数の背景映像情報のうちから何れかの背景映像情報が選択され、前記背景映像データベース７０から読み出さて前記ＲＡＭ４８に記憶される。次に、ＳＡ３において、前記ＲＡＭ４８に記憶されたカラオケ情報に含まれる歌詞情報が読み出されて、その歌詞情報に含まれるテキスト情報及び出力タイミング情報に基づいて歌詞文字映像が生成（更新）され、前記映像出力部５６から出力される。また、その歌詞情報に含まれる色替タイミング情報に基づいて歌詞文字映像の色替制御が行われる。次に、ＳＡ４において、前記ＲＡＭ４８に記憶された背景映像情報が読み出され、その背景映像情報に基づいて前記映像情報デコーダ３２により背景映像が再生される。そして、前記ビデオミキサ３４により、ＳＡ３にて出力された歌詞文字映像の背面側レイヤに上記背景映像が合成され、そのようにして合成された演奏映像が前記映像表示制御装置３５を介して前記映像表示装置３０に表示される。次に、ＳＡ５において、カラオケ演奏終了であるか否かが判断される。このＳＡ５の判断が否定される場合には、ＳＡ３以下の処理が再び実行されるが、ＳＡ５の判断が肯定される場合には、それをもって本ルーチンが終了させられる。以上の制御において、ＳＡ２乃至ＳＡ４が前記第１表示制御手段８０又は第２表示制御手段８２の動作に対応する。
【００３３】
図９は、前記カラオケ装置１６のＣＰＵ４４による映像表示制御装置３５を介しての映像出力切換制御の要部を説明するフローチャートであり、所定の周期で繰り返し実行されるものである。
【００３４】
先ず、ＳＢ１において、前記マイクロフォン４０からの赤外線信号に基づいてそのマイクロフォン４０が位置する方向が前記受信ユニット６２により検知され、その方向を示す情報が取得される。次に、ＳＢ２において、前記ＲＦＩＤタグ６６との間で通信が行われることによりそのＲＦＩＤタグ６６が位置する方向が前記ＲＦＩＤリーダ６４により検知され、その方向を示す情報が取得される。次に、ＳＢ３において、ＳＢ１にて検知されたマイクロフォン４０の位置する方向及び／又はＳＢ２にて検知されたＲＦＩＤタグ６６の位置する方向に前回の検知と比較して変化があり、前記映像表示装置３０において各映像出力方向（視野角）に表示されている映像を切り換えるべきか否かが判断される。このＳＢ３の判断が否定される場合には、それをもって本ルーチンが終了させられるが、ＳＢ３の判断が肯定される場合には、ＳＢ４において、ＳＢ１にて検知されたマイクロフォン４０の位置する方向及び／又はＳＢ２にて検知されたＲＦＩＤタグ６６の位置する方向の変化に基づいて、前記映像表示装置３０において各映像出力方向に表示されている映像すなわち前記第１の映像、第２の映像の切換制御が行われた後、本ルーチンが終了させられる。以上の制御において、ＳＢ３及びＳＢ４が前記映像表示制御装置３５の動作に対応する。
【００３５】
このように、本実施例によれば、画面３０ｓに対する第１の角度範囲Ａから視た場合に視認可能な第１の映像を表示させると共に、前記画面３０ｓに対する第２の角度範囲Ｂから視た場合に視認可能な第２の映像を表示させる映像表示装置３０と、所定の機器からの無線信号に基づいてその機器が位置する方向を検知する方向検知装置とを、備え、前記演奏曲の出力に際してその演奏曲に関する第１演奏映像８４を制御する第１表示制御手段８０（ＳＡ２乃至ＳＡ４）と、その第１表示制御手段８０による制御と同期して、その第１表示制御手段８０により制御される第１演奏映像８４とは異なる、演奏曲に関する第２演奏映像９０を制御する第２表示制御手段８２（ＳＡ２乃至ＳＡ４）と、前記第１表示制御手段８０及び第２表示制御手段８２によりそれぞれ制御される演奏映像８４、９０を、前記方向検知装置により検知される無線信号の方向に基づいて、前記映像表示装置３０における前記第１の映像及び／又は第２の映像として選択的に表示させる映像表示制御装置３５（ＳＢ３及びＳＢ４）とを、有することから、所定の演奏曲の出力に際して複数種類の演奏映像８４、９０を前記第１の映像及び／又は第２の映像として表示させつつ、所定の機器に係る無線信号の方向に応じてその演奏映像８４、９０の表示を切り換えたり、一方又は両方の出力を停止させたりといった制御が可能とされる。すなわち、カラオケ演奏に際して複数種類の映像を適宜表示し得るカラオケ装置１６を提供することができる。
【００３６】
また、無線信号を介して音声情報を入力するための音声入力装置であるマイクロフォン４０を備え、前記方向検知装置は、そのマイクロフォン４０に係る赤外線信号の方向を検知する受信ユニット６２であるため、そのマイクロフォン４０からの赤外線信号の方向に応じて前記演奏映像８４、９０の表示を切り換えたり、一方又は両方の出力を停止させたりといった制御が可能とされるという利点がある。
【００３７】
また、無線信号を介して情報の読み出しが可能な無線タグであるＲＦＩＤタグ６６を備え、前記方向検知装置は、そのＲＦＩＤタグ６６に係る無線信号の方向を検知するＲＦＩＤリーダ６４であるため、そのＲＦＩＤタグ６６に係る無線信号の方向に応じて前記演奏映像８４、９０の表示を切り換えたり、一方又は両方の出力を停止させたりといった制御が可能とされ、例えばそのＲＦＩＤタグ６６を子供に持たせておくことに等より、その子供に不適切な映像を見せることを好適に防止できる等といった利点がある。
【００３８】
また、前記第１表示制御手段８０及び第２表示制御手段８２は、複数種類の背景映像と関連付けられた演奏曲の出力に際してそれぞれ異なる種類の背景映像８８、９４をその演奏曲の歌詞文字映像８６、９２の背面側レイヤに合成する制御を行うものであるため、所定の演奏曲の出力に際してその演奏曲に対応付けられた複数種類の背景映像８８、９４をそれぞれ含む演奏映像８４、９０を同時に出力させられるという利点がある。
【００３９】
以上、本発明の好適な実施例を図面に基づいて詳細に説明したが、本発明はこれに限定されるものではなく、更に別の態様においても実施される。
【００４０】
例えば、前述の実施例において、前記映像情報デコーダ３２、ビデオミキサ３４、及び映像出力部５６は、それぞれ別個の制御部として設けられたものであったが、本発明はこれに限定されるものではなく、例えばそれらの機能を有する一体の制御部として設けられたものであっても構わない。また、前記映像情報デコーダ３２、ビデオミキサ３４、及び映像出力部５６と同等の制御機能が前記ＣＰＵ４４に機能的に備えられたものであってもよく、更にはそれらの制御機能が前記第１表示制御手段８０、第２表示制御手段８２に含まれるものであっても構わない。
【００４１】
また、前述の実施例において、前記映像表示制御装置３５は、前記ＣＰＵ４４とは別の制御部として設けられたものであったが、そのＣＰＵ４４に機能的に備えられたものであってもよい。また、前記映像表示制御装置３５における前記映像表示装置３０の第１の映像、第２の映像を切り換えるための映像切換機能がその映像表示装置３０に備えられたものであってもよい。この場合、前記方向検知装置により検知される無線信号の方向に基づいて、前記映像表示装置３０における前記第１の映像、第２の映像を切り換えるための指令信号を出力するための映像表示制御手段が独立の制御部或いは前記ＣＰＵ４４の機能として設けられ、前記映像表示装置３０はその映像表示制御手段から供給される指令信号に応じて前記第１の映像、第２の映像の切換制御を行う。
【００４２】
また、前述の実施例では、前記マイクロフォン４０からの赤外線信号又はＲＦＩＤタグ６６に係る電波信号に基づいて前記映像表示装置３０における前記第１の映像、第２の映像を切り換える態様について説明したが、この切換制御の基準となる無線信号としては、電波信号、光波信号、音波信号等、様々な種類の信号が考えられることは言うまでもない。また、前記リモコン装置２８等からの赤外線信号に応じて前記映像表示装置３０における前記第１の映像、第２の映像を切り換えるものであっても当然に構わない。
【００４３】
また、前述の実施例において、前記第１表示制御手段８０及び第２表示制御手段８２は、複数種類の背景映像と関連付けられた演奏曲の出力に際してそれぞれ異なる種類の背景映像を含む演奏映像の制御を行うものであったが、例えば成人向け機能等においては、演奏曲（カラオケ情報の内容）とは専ら関係なく選択される背景映像をその演奏曲の出力に際して用いる態様も考えられ、すなわち前記第１表示制御手段８０及び第２表示制御手段８２は、単一の背景映像のみと関連付けられた演奏曲の出力に際してそれぞれ異なる種類の背景映像を含む演奏映像の制御を行うものであってもよい。
【００４４】
また、前述の実施例では、音声入力装置としてワイヤレス式のマイクロフォン４０が備えられていたが、有線接続式のマイクロフォンを備えたカラオケ装置にも本発明は好適に適用されるものである。
【００４５】
その他、一々例示はしないが、本発明はその趣旨を逸脱しない範囲内において種々の変更が加えられて実施され得るものである。
【図面の簡単な説明】
【００４６】
【図１】本発明が好適に適用されるカラオケシステムを説明する概略図である。
【図２】本発明の一実施例であるカラオケ装置の構成を例示するブロック線図である。
【図３】図２のカラオケ装置に備えられた映像表示装置による視野角制御について説明する図である。
【図４】図２のカラオケ装置に備えられた映像表示制御装置による映像表示装置の表示制御について説明する図である。
【図５】図２のカラオケ装置のＣＰＵに備えられた制御機能の要部を説明する機能ブロック線図である。
【図６】図２のカラオケ装置に備えられた映像表示装置に表示される演奏映像の一例を示す図である。
【図７】図２のカラオケ装置に備えられた映像表示装置に表示される演奏映像の他の一例を示す図である。
【図８】図２のカラオケ装置のＣＰＵによる演奏映像表示制御の要部を説明するフローチャートである。
【図９】図２のカラオケ装置のＣＰＵによる映像表示制御装置を介しての映像出力切換制御の要部を説明するフローチャートである。
【符号の説明】
【００４７】
１６：カラオケ装置
３０：映像表示装置
３５：映像表示制御装置（映像表示制御手段）
４０：マイクロフォン（音声入力装置）
６２：受信ユニット（方向検知装置）
６４：ＲＦＩＤリーダ（方向検知装置）
６６：ＲＦＩＤタグ（無線タグ）
８０：第１表示制御手段
８２：第２表示制御手段
８４、９０：演奏映像
８６、９２：歌詞文字映像
８８、９４：背景映像
【図１】
2007206301.tif 000003
【図２】
2007206301.tif 000004
【図３】
2007206301.tif 000005
【図４】
2007206301.tif 000006
【図５】
2007206301.tif 000007
【図６】
2007206301.tif 000008
【図７】
2007206301.tif 000009
【図８】
2007206301.tif 000010
【図９】
2007206301.tif 000011